(57)【要約】【課題】  拍動に基づいてローレンツプロットをリアルタイムで表示する装置であって、被測定者が該表示結果に基づいて、交感神経と心臓迷走神経とのバランスの乱れを把握することができる装置を提供する。【解決手段】  心拍ゆらぎ検出装置における情報処理方法であって、被測定者に関する情報を設定した後、該被測定者の拍動に基づいてローレンツプロット表示する工程（ステップＳ４０４）と、前記ローレンツプロットに基づいて算出されるゆらぎ度と前記被測定者に関する情報とを対応付けて記憶する工程（ステップＳ４０６）と、前記被測定者に関する情報のうち、所定の情報に対応付けられた前記ゆらぎ度を抽出し、トレント表示する工程（ステップＳ４０８）とを備えることを特徴とする。【選択図】  図４
2008036156.tif 000002
【特許請求の範囲】
【請求項１】
被測定者に関する情報を設定する設定手段と、
前記被測定者の拍動を検出し、１拍毎の拍動間隔を抽出する抽出手段と、
前記抽出手段により抽出された拍動間隔データに基づいて時間領域解析を行うことで得られた解析結果を表示する表示手段と、
前記被測定者に関する情報と前記解析結果とを対応付けて記憶する記憶手段と、を備え、
前記表示手段は、更に、
前記被測定者に関する情報のうち、所定の情報に対応付けられた前記解析結果を抽出して時系列に配することで、トレンドグラフを表示することを特徴とする心拍ゆらぎ検出装置。
【請求項２】
被測定者に関する情報を設定する設定手段と、
前記被測定者の拍動を検出し、１拍毎の拍動間隔を抽出する抽出手段と、
前記抽出手段において抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記各座標データのばらつきを算出するばらつき算出手段と、
前記座標データに基づいて前記２次元グラフ領域にプロットを表示する表示手段と、
前記ばらつきと前記被測定者に関する情報とを対応付けて記憶する記憶手段と、を備え、
前記表示手段は、更に、
前記被測定者に関する情報のうち、所定の情報に対応付けられた前記ばらつきを抽出して時系列に配することで、トレンドグラフを表示することを特徴とする心拍ゆらぎ検出装置。
【請求項３】
前記被測定者に関する情報とは、該被測定者の年齢であり、前記表示手段は、更に、該被測定者の年齢に対応する前記ばらつきの上下限範囲を、前記２次元グラフ領域に表示することを特徴とする請求項２に記載の心拍ゆらぎ検出装置。
【請求項４】
前記表示手段は、前記ばらつき算出手段により算出した前記ばらつきの上下限範囲を、前記２次元グラフ領域に表示することを特徴とする請求項３に記載の心拍ゆらぎ検出装置。
【請求項５】
前記被測定者に関する情報は、更に、該被測定者が測定を行う際の測定状況に関する情報を含むことを特徴とする請求項３に記載の心拍ゆらぎ検出装置。
【請求項６】
前記被測定者に関する情報は、該被測定者の主観に基づく被測定者自身の症状に関する主観データであることを特徴とする請求項１または２に記載の心拍ゆらぎ検出装置。
【請求項７】
前記主観データには、更に、前記被測定者が認識する精神状態を示す情報と、前記被測定者が認識する自身の体調に関する情報とを含むことを特徴とする請求項６に記載の心拍ゆらぎ検出装置。
【請求項８】
前記被測定者に関する情報は、該被測定者の服薬状況を示す情報であることを特徴とする請求項１または２に記載の心拍ゆらぎ検出装置。
【請求項９】
前記表示手段は、表示されたトレンドグラフ上の任意の点を指示することで、該点が示すばらつきに対応して記憶された前記被測定者に関する情報を、吹き出し表示することを特徴とする請求項２に記載の心拍ゆらぎ検出装置。
【請求項１０】
被測定者に関する情報を設定する設定工程と、
前記被測定者の拍動を検出し、１拍毎の拍動間隔を抽出する抽出工程と、
前記抽出工程により抽出された拍動間隔データに基づいて時間領域解析を行うことで得られた解析結果を表示する表示工程と、
前記被測定者に関する情報と前記解析結果とを対応付けて記憶する記憶工程と、を備え、
前記表示工程は、更に、
前記被測定者に関する情報のうち、所定の情報に対応付けられた前記解析結果を抽出して時系列に配することで、トレンドグラフを表示することを特徴とする心拍ゆらぎ検出装置における情報処理方法。
【請求項１１】
被測定者に関する情報を設定する設定工程と、
前記被測定者の拍動を検出し、１拍毎の拍動間隔を抽出する抽出工程と、
前記抽出工程において抽出されたｎ拍目の拍動間隔とｎ＋１拍目の拍動間隔とを、２次元グラフ領域の縦軸または横軸として順次プロットする場合の各座標データを算出する座標算出工程と、
所定時間内に算出された前記各座標データのばらつきを算出するばらつき算出工程と、
前記座標データに基づいて前記２次元グラフ領域にプロットを表示する表示工程と、
前記ばらつきと前記被測定者に関する情報とを対応付けて記憶する記憶工程と、を備え、
前記表示工程は、更に、
前記被測定者に関する情報のうち、所定の情報に対応付けられた前記ばらつきを抽出して時系列に配することで、トレンドグラフを表示することを特徴とする心拍ゆらぎ検出装置における情報処理方法。
【請求項１２】
請求項１０または１１に記載の情報処理方法をコンピュータによって実現させるための制御プログラム。
【発明の詳細な説明】
【技術分野】
【０００１】
本発明は、心電波形や脈拍等の生体信号に基づいて拍動のゆらぎを可視化する技術に関するものである。
【背景技術】
【０００２】
従来より、交感神経と心臓迷走神経の亢進状態の評価方法として、ローレンツプロットが知られている。一般に交感神経と心臓迷走神経とはバランスがとれていることが重要であり、交感神経と心臓迷走神経とのバランスが乱れると、拍動（心拍）のゆらぎに影響を及ぼす。
【０００３】
そして、上記ローレンツプロットは、心電波形や脈拍等の生体信号に基づいて、当該拍動のゆらぎを可視化したものであり、広く知られている。
【０００４】
図２２、図２３は、心電波形に基づいてローレンツプロットを生成する方法を示した図である。図２２の２２０１に示すような心電波形が収集されると、まず、Ｒ波の位置が同定され、Ｒ−Ｒ間隔が算出される。Ｒ波とは心電波形のピーク部分をいい、Ｒ波のｎ拍目（ｎは任意の整数）とｎ＋１拍目の間隔を心拍間隔（Ｒ−Ｒ間隔）という。図２２の例では、Ｒ波の位置はそれぞれ、Ｒ１、Ｒ２、Ｒ３、Ｒ４と同定され、Ｒ−Ｒ間隔はそれぞれＴ２１、Ｔ３２、Ｔ４３と算出される。
【０００５】
そして、当該算出されたＲ−Ｒ間隔に基づいて、図２３に示す２次元グラフ領域に、Ｔ３２を横軸に、Ｔ２１を縦軸にプロットする。更に、Ｔ４３を横軸に、Ｔ３２を縦軸にプロットする。このような処理を、連続するＲ−Ｒ間隔に対して順次行うことで、ローレンツプロットが生成される。図２４は、ローレンツプロットの一例を示す図であり、（ａ）は一般にバランスがとれた良好な状態を示しており、（ｂ）、（ｃ）はバランスがとれていない状態を示している（（ｂ）はストレス・疾患パターンを、（ｃ）は不整脈パターンをそれぞれ示している）。
【０００６】
このような方法により生成されるローレンツプロットを応用した技術として、本願出願人は、これまでいくつかの提案を行っている。例えば、下記特許文献１では、当該ローレンツプロットを心電波形の測定と並行してリアルタイムに表示させることで、被測定者がその場で拍動のゆらぎを把握できるリアルタイム拍動モニタを提案している。
【０００７】
また、下記特許文献２では、表示された被測定者のローレンツプロットに対して、被測定者の特徴情報（年齢と性別）に対応する平均的なローレンツプロットの分布領域を重畳して表示させることで、被測定者が拍動のゆらぎを対比して判断できるようにした心拍間隔表示装置を提案している。
【特許文献１】特開２００１−２１２０９５号公報
【特許文献２】特開２００１−２１２０８９号公報
【発明の開示】
【発明が解決しようとする課題】
【０００８】
しかしながら、上記特許文献１のように、ローレンツプロットをリアルタイムに表示させたとしても、当該表示結果だけでは一般の被測定者が、当該ローレンツプロットに基づいて交感神経と心臓迷走神経とのバランスの乱れを判断することは難しい。
【０００９】
また、上記特許文献２のように、被測定者の特徴情報に対応する平均的なローレンツプロットの分布領域を重畳して表示し、平均的なローレンツプロットと比較できるようにしたとしても、ローレンツプロットの分布領域は、被測定者によって個人差があるため、平均的なローレンツプロットの分布領域と比較するだけでは、一概に被測定者の交感神経と心臓迷走神経のバランスの乱れを判断することは難しい（自身のローレンツプロットの分布領域が、平均的なローレンツプロットの分布領域と比べて大きいか小さいかを判断できるにとどまり、それに基づいて、バランスの乱れの有無を判断するのは必ずしも容易ではない）。つまり、各被測定者ごとの拍動のゆらぎの傾向（ローレンツプロットの分布領域の傾向）がわからなければ、各自のバランスの乱れの有無について的確に判断することは難しい。
【００１０】
一方で、上述のように、交感神経と心臓迷走神経とのバランスを保つことは、日々の生活において非常に重要である。交感神経と心臓迷走神経とのバランスが乱れると、不安感やいらいら、めまい、立ちくらみ、食欲不振等、様々な自覚症状が起きるからである。
【００１１】
そこで、拍動のゆらぎを日頃から簡単にチェックでき、自身の拍動のゆらぎの傾向を把握できるようにすることで、被測定者が交感神経と心臓迷走神経とのバランスの乱れを判断できる一般家庭向けの心拍ゆらぎ検出装置の登場が望まれている。
【００１２】
本発明は、上記課題に鑑みてなされたものであり、検出された拍動に基づいて得られた時間領域解析結果と入力された主観データとを併せて表示する装置であって、被測定者が該表示結果に基づいて、交感神経と心臓迷走神経とのバランスを確認することができる装置を提供することを目的とする。
【課題を解決するための手段】
【００１３】
上記の目的を達成するために本発明に係る心拍ゆらぎ検出装置は以下のような構成を備える。即ち、
被測定者に関する情報を設定する設定手段と、
前記被測定者の拍動を検出し、１拍毎の拍動間隔を抽出する抽出手段と、
前記抽出手段により抽出された拍動間隔データに基づいて時間領域解析を行うことで得られた解析結果を表示する表示手段と、
前記被測定者に関する情報と前記解析結果とを対応付けて記憶する記憶手段と、を備え、
前記表示手段は、更に、
前記被測定者に関する情報のうち、所定の情報に対応付けられた前記解析結果を抽出して時系列に配することで、トレンドグラフを表示することを特徴とする。
【００１４】
また、本発明に係る他の心拍ゆらぎ検出装置は、以下のような構成を備える。即ち、
被測定者に関する情報を設定する設定手段と、
前記被測定者の拍動を検出し、１拍毎の拍動間隔を抽出する抽出手段と、
前記抽出手段において抽出されたｎ拍目の拍動間隔とｎ＋１拍目の拍動間隔とを、２次元グラフ領域の縦軸または横軸として順次プロットする場合の各座標データを算出する座標算出手段と、
所定時間内に算出された前記各座標データのばらつきを算出するばらつき算出手段と、
前記座標データに基づいて前記２次元グラフ領域にプロットを表示する表示手段と、
前記ばらつきと前記被測定者に関する情報とを対応付けて記憶する記憶手段と、を備え、
前記表示手段は、更に、
前記被測定者に関する情報のうち、所定の情報に対応付けられた前記ばらつきを抽出して時系列に配することで、トレンドグラフを表示することを特徴とする。
【発明の効果】
【００１５】
本発明によれば、検出された拍動に基づいて得られた時間領域解析結果と入力された主観データとを併せて表示する装置において、被測定者が該表示結果に基づいて、交感神経と心臓迷走神経とのバランスを確認することができるようになる。
【発明を実施するための最良の形態】
【００１６】
以下、必要に応じて添付図面を参照しながら本発明の各実施形態を詳細に説明する。なお、以下の各実施形態で説明する心拍ゆらぎ検出装置は、時間領域解析の幾何学的図形解析法の１つであるローレンツプロットを表示する装置として説明するが、本発明は以下に記載の実施形態に限定されるものではない。例えば、他の心拍変動指標として、時間領域解析の幾何学的図形解析法の１つであるトライアングルインデックスや、時間／領域解析であるＳＤＮＮ、ＳＤＡＮＮ、ｒ−ＭＳＳＤ、ＲＲ５０（ＮＮ５０）、ｐＮＮ５０（φ0ＮＮ５０）等を表示する装置にも適用可能である。
【００１７】
［第１の実施形態］
１．装置の外観構成
図１は、本発明の第１の実施形態にかかる心拍ゆらぎ検出装置の外観構成を示す図である。同図において、１０１はハウジングであり、内部の電子機器を覆うとともに、装置の外形を形成する。ハウジング１０１の一部分（１０２に示す部分）には、拍動を検出するための電極が埋め込まれており、被測定者が１０２に示す部分に手のひらを当てることにより、被測定者の拍動を検出することができる。
【００１８】
１０３は表示／操作部であり、検出された拍動に基づいて時間領域解析法で得られるデータの１つとしてのローレンツプロットを表示すると共に、被測定者による各種操作を受け付ける。
【００１９】
２．装置の機能構成
図２は、本発明の第１の実施形態にかかる心拍ゆらぎ検出装置の機能構成を示す図である。同図において、２０１はクロック部であり、クロック信号を発振し、ＣＰＵ２０２に供給する。２０２はＣＰＵであり、クロック部２０１より発振されたクロック信号に基づいて動作する。２０３はＲＡＭであり、ＣＰＵ２０２において処理されるプログラムのワークエリアとして機能するとともに、プログラム処理時にデータ等を一時的に記憶する記憶手段としても機能する。２０４はＲＯＭであり、ＣＰＵ２０２にて処理されるプログラムが格納されている。
【００２０】
２０５は表示／操作部であり、ＣＰＵ２０２において処理された処理結果を表示するとともに、被測定者からの指示入力を受け付ける。２０６は電極であり、被測定者の拍動を検出し、電気信号を出力する。２０７はアンプであり、電極２０６より出力された電気信号を増幅するとともに、デジタル信号（以下、測定データ）に変換する。２０８はデータ記録部であり、ＣＰＵ２０２において測定データを処理することにより得られた算出データおよび表示／操作部２０５を介して被測定者が設定した被測定者に関する情報（設定データ：例えば、年齢、性別）を記録する。
【００２１】
ＲＯＭ２０４に格納されたプログラムにより実現される機能を２１１から２１６に示す。２１１は心拍検出処理部であり、アンプ２０７より出力された測定データを受信する。２１２は心拍間隔検出処理部であり、受信した測定データに基づいて、心拍波形のＲ波を同定したのち、各Ｒ−Ｒ間隔を算出し、ローレンツプロットデータ（２次元グラフ領域にローレンツプロットを表示するための座標データ）を生成する。また、所定時間、例えば１分間あたりの心拍数を算出する。更に、測定が完了した際には、ゆらぎ度および目標達成度を算出する。なお、ゆらぎ度とは、２次元グラフ領域における分布領域の大きさ（本実施形態にかかる心拍ゆらぎ検出装置にあっては、ローレンツプロットデータのばらつき）のことをいうものとする。また、目標達成度とは、被測定者に関する情報に対応する平均的なローレンツプロットの分布領域の大きさに対する、生成されたローレンツプロットの分布領域の大きさの割合をいう。
【００２２】
２１３は表示処理部であり、測定開始時においては、被測定者により予め入力された設定データを表示／操作部２０５上に表示する。また、測定中は、心拍間隔検出処理部２１２において生成されたローレンツプロットデータに基づいて、表示／操作部２０５上にローレンツプロットを表示するとともに、心拍波形のＲ波のタイミングに合わせて、文字、記号、シンボルマーク等で表示される心拍検出マーク（後述）を点滅させ、心拍数を表示する。また、測定完了時には、ゆらぎ度および目標達成度を表示する。更に、過去のローレンツプロットデータを読み出し、表示／操作部２０５上にローレンツプロットを表示すると共に、後述するトレンド処理部により抽出されたゆらぎ度をトレンドグラフとして表示する。
【００２３】
２１４はデータ記録処理部であり、算出されたローレンツプロットデータ、ゆらぎ度、目標達成度、および入力された設定データ等を、データ記録部２０８に記録する。また、過去に記録されたローレンツプロットデータ、ゆらぎ度、目標達成度、および入力された設定データ等をデータ記録部２０８より削除する。
【００２４】
２１５はトレンド処理部であり、データ記録部２０８に記録された過去のゆらぎ度を抽出し時系列に配列する。なお、特定の設定データと対応づけられたゆらぎ度のみを抽出したうえで、時系列配列することも可能である。なお、ゆらぎ度を昇順、降順、頻度別、日付毎等、任意に選択して配列することも可能である。
【００２５】
２１６はユーザ入力処理部であり、表示／操作部２０５を介して入力された設定データを受信する。
【００２６】
３．装置における画面構成
図３は、表示／操作部２０５の画面例を示す図である（なお、画面は液晶画面のほか、視認性の高い有機ＥＬなどを用いても良い）。３０１はデータ表示部であり、表示処理部２１３が各種データを表示する。図３の例では、ローレンツプロットを表示するための画面が図示されており、横軸および縦軸の単位は例えばｍｓｅｃである。３０９、３１０はそれぞれデータ表示部３０１をスクロールするためのスクロールバーである。２０５ａは、カーソル、スクロールバーを任意に移動させるための十字キーである。
【００２７】
３０２は測定ボタンであり、被測定者は測定ボタン３０２を押下することにより、測定を開始する。
【００２８】
３０３は再生ボタンであり、データ記録部２０８に記録された過去のローレンツプロットデータを読み出し、データ表示部３０１に表示する。３０４は削除ボタンであり、データ記録部２０８に記録された過去のローレンツプロットデータ、ゆらぎ度、目標達成度および設定データ等を削除する。
【００２９】
３０５はトレンド表示ボタンであり、データ表示部３０１上にトレンドグラフを表示する。３０６はトレンド表示終了ボタンであり、データ表示部３０１上のトレンドグラフの表示を終了し、ローレンツプロットの表示に戻す。
【００３０】
３０７、３０８はそれぞれ縮小ボタンおよび拡大ボタンであり、データ表示部３０１上に表示されるローレンツプロットやトレンドグラフ等を縮小または拡大する。
【００３１】
４．装置における処理の流れ（全体）
図４は、本発明の第１の実施形態にかかる心拍ゆらぎ検出装置における全体処理の流れを示すフローチャートである。ステップＳ４０１において装置の電源が投入されると、ステップＳ４０２では、表示／操作部２０５に初期画面（例えば、図３に示す画面）が表示される。
【００３２】
ステップＳ４０３では、被測定者によりどのような操作が行われたのかを判定する。被測定者により測定ボタン３０２が押下されたと判定された場合には、ステップＳ４０４に進み、測定処理を実行する（測定処理の詳細は、後述）。また、被測定者により再生ボタン３０３または削除ボタン３０４が押下されたと判定された場合には、ステップＳ４０７に進み、ローレンツプロットデータ再生／削除処理を実行する（ローレンツプロットデータ再生／削除処理の詳細は、後述）。更に、被測定者によりトレンド表示ボタン３０５が押下された場合には、ステップＳ４０８に進み、トレンド表示処理を実行する（トレンド表示処理の詳細は、後述）。
【００３３】
ステップＳ４０４における測定処理が終了すると、ステップＳ４０５に進み、算出されたローレンツプロットデータ等をデータ記録部２０８に保存するか否かを判定する。被測定者より保存指示が入力された場合には、ステップＳ４０６に進み、ローレンツプロットデータ等の保存処理を行う。
【００３４】
ステップＳ４０５において保存指示が入力されなかったと判定された場合、またはステップＳ４０６においてローレンツプロットデータ等の保存処理が終了した場合、または、ステップＳ４０７においてローレンツプロットデータ再生／削除処理が終了した場合、またはステップＳ４０８においてトレンド表示処理が終了した場合には、ステップＳ４０９に進む。
【００３５】
ステップＳ４０９では、電源ＯＦＦ操作がなされたか否かを判定し、電源ＯＦＦ操作がなされていなければ、ステップＳ４０３に戻り、上記処理を繰り返す。
【００３６】
一方、ステップＳ４０９において電源ＯＦＦ操作がなされた場合には、処理を終了する。
【００３７】
５．測定処理（ステップＳ４０４）の詳細
図５〜図９を用いて、測定処理（ステップＳ４０４）の詳細について説明する。図５は、測定処理（ステップＳ４０３）の処理の流れを示すフローチャートである。
【００３８】
測定ボタン３０２が押下され測定処理が起動すると、ステップＳ５０１では、設定データ入力画面を表示し、設定データが入力されたか否かを判定する。
【００３９】
例えば、図６は設定データ入力画面６０１が表示された様子を示す図である。同図に示すように、本実施形態の場合、例えば、測定に際してはデフォルトされた項目（ここでは６０２〜６０６の５項目）について被測定者が設定データを入力する構成となっている。
【００４０】
６０２は被測定者の年齢を選択する項目である（被測定者の年齢が選択されることで、該年齢に対応する平均的なローレンツプロットの分布領域を呼び出すことができる）。６０３は被測定者の現在の状況を選択する項目である。６０４および６０５は被測定者の主観に基づく被測定者自身の自覚症状についての情報を入力する項目である。具体的には、６０４は被測定者の現在の精神状態に関する情報を入力する項目である。６０５は被測定者の現在の体調（肉体的状態）に関する情報を入力する項目である。６０６は、被測定者が現在服薬している薬に関する情報を入力する項目である。
【００４１】
６０７は設定ボタンであり、当該設定ボタン６０７が押下されると、設定項目６０２から６０６の設定データが設定されたのち、設定データ入力画面６０１を閉じる。６０８はキャンセルボタンであり、当該キャンセルボタン６０８が押下されると設定項目６０２から６０６の設定データを設定することなく、設定データ入力画面６０１が閉じられる。
【００４２】
設定ボタン６０７が押下されると、ステップＳ５０１において設定データが入力されたと判断し、ステップＳ５０２に進む。一方、キャンセルボタン６０８が押下されると処理を終了する。ステップＳ５０２では、図７に示すように測定開始画面７０１が表示され、測定を開始するか否かを判定する。
【００４３】
開始ボタン７０２が押下された場合には、測定開始画面７０１を閉じ、測定を開始する（ステップＳ５０２において“Ｙｅｓ”）。一方、キャンセルボタン７０３が押下された場合には、測定開始画面７０１を閉じ、処理を終了する（ステップＳ５０２において“Ｎｏ”）。
【００４４】
ステップＳ５０２において測定が開始されると、ステップＳ５０３では、設定データ等の表示を行う。図８は、測定が開始された後のデータ表示部３０１の一例を示す図である。
【００４５】
同図において、８０１は心拍検出マークであり、心拍検出処理部２１１において受信された測定データのＲ波に合わせて点滅する。８０２は心拍数表示欄（１分間あたりの心拍の数を表示する欄）である。８０３は、データ表示部３０１が現在拡大表示されているのか、標準の大きさで表示されているのか、縮小表示されているのかを表示する欄である。８０４は現在の日時を表示する欄である。更に、８０７の目標設定欄には設定データ入力画面６０１において被測定者が選択した被測定者の年齢または年齢と性別が表示される（ただし、年齢、性別は表示されなくても良い）。８０５は選択された目標設定値に対応する平均的なローレンツプロットの分布領域を示したものである。
【００４６】
ステップＳ５０４では、心拍検出処理部２１１が測定データを受信する。ステップＳ５０４では、心拍検出処理部２１１で受信した測定データに基づいて、心拍検出マーク８０１を点滅させるとともに、心拍数表示欄８０２に、心拍数をリアルタイム表示する。
【００４７】
ステップＳ５０６では、ローレンツプロットを行う。図８の８０６はローレンツプロットの一例である。ステップＳ５０７では、測定が開始されてから所定時間経過したか否かを判定する。所定時間経過していなければ、ステップＳ５０４に戻る。一方、所定時間経過していれば、ステップＳ５０８に進む。なお、所定時間経過するまでの経過を、データ表示部３０１の任意の位置に表示（セグメント表示などで、カウントダウン表示またはカウントアップ表示）したり、ペット、子供、風景、キャラクタなどを任意に選択して順次画像等を完成させるような画面表示としてもよい。また、所定時間経過するまでにローレンツプロットを順に表示するが、所定時間経過後、全てのローレンツプロットを同時に表示するようにしても良い。
【００４８】
ステップＳ５０８では、今回測定時の全てのローレンツプロットデータに基づいて、目標達成度及びゆらぎ度を算出し、表示する。好ましくは、更にステップＳ５０９では、ローレンツプロットデータの分布領域を示す線を表示する。こうして被測定者に関する情報（年齢、性別）に対応する平均的なローレンツプロットの分布領域の大きさと容易に比較することができる。
【００４９】
図９は、ローレンツプロットデータの分布領域を示す線９０１と、目標達成度９０２、ゆらぎ度９０３が表示された様子を示す図である。
【００５０】
６．プロットデータ保存処理（ステップＳ４０６）の詳細
図１０〜図１２を用いてプロットデータ保存処理（ステップＳ４０６）の詳細について説明する。測定が完了し、分布領域を示す線９０１と、目標達成度９０２、ゆらぎ度９０３が表示されると、図１１に示すように、データ表示部３０１には、測定結果保存入力画面１１０１が表示される。測定結果保存入力画面１１０１には、保存ボタン１１０２とキャンセルボタン１１０３とが含まれる。保存ボタン１１０２は、被測定者が今回測定した測定結果の保存を指示するためのボタンである。キャンセルボタン１１０３は、今回測定した測定結果を保存しない旨の指示を入力するためのボタンである。
【００５１】
図１１において、保存ボタン１１０２が押下されると、図１０のステップＳ１００１では、今回測定時に設定された各種設定データをデータ記録部２０８に記録する。更に、ステップＳ１００２では、該設定データに対応付けて算出データ（ローレンツプロットデータ、分布領域を示す線９０１、目標達成度９０２、ゆらぎ度９０３）をデータ記録部２０８に記録する。なお、このとき、測定完了時の日時もあわせて記録する。
【００５２】
図１２は、プロットデータ保存処理によりデータ記録部２０８に記録された各種データ（日時、設定データ、算出データ）を示す図である。
【００５３】
同図において、１２０１はデータ番号であり、保存するデータごとに、保存する順序に従って昇順に付される。
【００５４】
１２０２は測定完了の日時である。１２０３から１２０７は、測定の際に被測定者が入力した設定データであり、１２０８から１２１１は算出データである。具体的には、１２０８はローレンツプロットデータであり、１２０９は分布領域を示す線データであり、１２１０は目標達成度であり、１２１１はゆらぎ度である。
【００５５】
７．ローレンツプロットデータ再生／削除処理（ステップＳ４０７）の詳細
図１３〜図１５を用いてローレンツプロットデータ再生／削除処理（ステップＳ４０７）の詳細について説明する。再生ボタン３０３または削除ボタン３０４が押下されると、図１３のステップＳ１３０１では、再生ボタン３０３または削除ボタン３０４のいずれのボタンが押下されたかを判断する。
【００５６】
ステップＳ１３０１において再生ボタン３０３が押下されたと判断された場合には、ステップＳ１３０２に進み、データ記録部２０８に記録されているデータ一覧をデータ表示部３０１に表示する。図１４の１４０１は、データ一覧を表示した様子を示している。被測定者は、データ一覧１４０１に記載されたデータ番号のうちのいずれかを選択して、再生ボタン１４０２を押下する。
【００５７】
ステップＳ１３０３では、被測定者により選択されたデータ番号に基づいて、ローレンツプロットデータの再生処理に必要なデータ（設定データ（年齢）、算出データ（ローレンツプロットデータ、分布領域を示す線データ、目標達成度、ゆらぎ度））を読み出す。  ステップＳ１３０４では、ステップＳ１３０３において読み出されたデータを、データ表示部３０１に表示する。このとき、設定データ（年齢）の対応する平均的なローレンツプロットの分布領域を呼び出し、合わせて表示する。
【００５８】
なお、データ一覧１４０１が表示された際に、被測定者がキャンセルボタン１４０３を押下した場合には、データ表示部３０１は、再生ボタン３０３が押下される前の表示に戻る。
【００５９】
一方、ステップＳ１３０１において、削除ボタン３０４が押下されたと判断された場合には、ステップＳ１３０５に進み、データ記録部２０８に記録されているデータ一覧をデータ表示部３０１に表示する。図１５の１５０１は、データ一覧を表示した様子を示している。被測定者は、データ一覧１５０１に記載されたデータ番号のうちのいずれかを選択して、削除ボタン１５０２を押下する。
【００６０】
ステップＳ１３０６では、被測定者により選択されたデータ番号のデータをデータ記録部２０８から削除する。続けて、被測定者が他のデータ番号を選択して、削除ボタン１５０２を押下すると、当該データ番号のデータは、データ記録部２０８から削除される。つまり、キャンセルボタン１５０３が押下されるまでは、連続的にデータを削除することができる。
【００６１】
キャンセルボタン１５０３が押下されると、ステップＳ１３０７では、削除ボタン３０３が押下される直前の表示に戻る。
【００６２】
８．トレンド表示処理（ステップＳ４０８）の詳細
図１６〜図１８を用いてトレンド表示処理（ステップＳ４０８）の詳細について説明する。
【００６３】
トレンド表示ボタン３０５が押下されると、図１７に示すトレンド表示方法選択画面１７００をデータ表示部３０１に表示する。
【００６４】
ステップＳ１６０１では、トレンド表示方法選択画面１７００において、被測定者が選択するトレンド表示方法を受け付ける。ステップＳ１６０２では、トレンド表示方法選択画面１７００において、「全データを時系列で表示」（１７０１）が選択されたか否かを判定する。
【００６５】
ステップＳ１６０２において、「全データを時系列で表示」（１７０１）が選択されたと判定された場合には、ステップＳ１６０３に進み、データ記録部２０８に記録された全てのゆらぎ度を抽出する。ステップＳ１６０４では、ステップＳ１６０３にて抽出されたゆらぎ度を時系列にソートし、トレンドグラフとして表示する。
【００６６】
ステップＳ１６０２において、「全データを時系列で表示」（１７０１）が選択されなかったと判定された場合（つまり、「特定のデータを抽出して表示」（１７０２）が選択されたと判定された場合）には、ステップＳ１６０５に進む。
【００６７】
例えば、「特定のデータを抽出して表示」（１７０２）を選択した場合、被測定者は、例えば、「特定のシチュエーション」（１７０３）、「特性の精神状態」（１７０４）、「特定の体調」（１７０５）、「特定の薬」（１７０６）のいずれか１つまたは複数を選択する。
【００６８】
なお、複数選択した場合には、それらの項目がすべて設定されたデータのゆらぎ度が抽出されることとなる。
【００６９】
そこで、ステップＳ１６０５では、当該選択された設定データに対応するゆらぎ度をデータ記録部２０８より抽出する。ステップＳ１６０６では、当該抽出されたゆらぎ度を時系列または昇順、降順でソートし、ステップＳ１６０７では、トレンドグラフとして表示する。
【００７０】
このように、トレンド表示を行う際に、設定データに基づいて選択的にトレンド表示することが可能な構成とすることで、被測定者は、自身の拍動のゆらぎを様々な角度から検証することが可能となり、拍動のゆらぎの傾向を知ることができるようになる。
【００７１】
図１８は、データ表示部３０１に表示されたトレンドグラフの一例を示す図である。横軸は例えば日時を示し、縦軸はゆらぎ度（％）を示している。１８０１は、表示部３０１に表示されたトレンドグラフのうち、ゆらぎ度の最大値を、１８０２は、表示部３０１に表示されたトレンドグラフのうち、ゆらぎ度の最小値を、１８０３は、表示部３０１に表示されたトレンドグラフのゆらぎ度の平均値を、それぞれ示している。なお、横軸をシミュレーション、縦軸をゆらぎ度として表示しても良い。
【００７２】
図１６に戻る。ステップＳ１６０８では、表示されたトレンドグラフの特定箇所が被測定者により指定されたか否かを判定する。被測定者により指定されたと判定された場合には、ステップＳ１６０９に進み、当該指定されたゆらぎ度に対応する設定データを読み出し、ステップＳ１６１０にて、当該読み出された設定データを吹き出し表示する。
【００７３】
図１９は、データ表示部３０１に表示されたトレンドグラフの特定箇所が指定された様子を示す図である。同図に示すように、十字キー２０５ａでカーソル３１０ａを特定箇所に移すと、例えば、吹き出し（コメント等）が表示され（１９０１、１９０２）、当該特定箇所におけるゆらぎ度に対応する設定データが表示される。
【００７４】
図１６に戻る。ステップＳ１６１１では、トレンド表示終了ボタン３０６が押下されたか否かを判定する。トレンド表示終了ボタン３０６が押下されたと判定された場合には、トレンド表示を終了し、ステップＳ１６０１においてトレンド表示方法選択画面１７００が表示される前の表示画面に戻る。
【００７５】
一方、ステップＳ１６１１において、トレンド表示終了ボタン３０６が押下されていないと判定された場合には、ステップＳ１６０８に戻る。
【００７６】
９．トレンド表示の利用例
上記トレンド表示の具体的な利用例について説明する。上述のように、データ記録部２０８には、ゆらぎ度に対応付けて、測定時のシチュエーションや被測定者の精神状態、体調、服薬している薬等が記録されている。
【００７７】
したがって、トレンド表示の際に、例えば、トレンド表示方法選択画面１７００において“リラックスしている”状態を選択してトレンド表示させると、被測定者自身が心臓迷走神経優位と感じている状態での、ゆらぎ度を見ることができる。
【００７８】
反対に、トレンド表示方法選択画面において、“いらいらしている”状態を選択してトレンド表示させると、被測定者自身が心臓迷走神経優位と感じている状態での、ゆらぎ度を見ることができる。
【００７９】
このようにして、被測定者の自覚症状に対するゆらぎ度の傾向をみることで、新たに測定した場合に得られたゆらぎ度が、交感神経と心臓迷走神経とのバランスがとれている状態を示しているのか、とれていない状態を示しているのを判断することができる。
【００８０】
また、例えば、トレンド表示方法選択画面１７００において、“起床時”、“食前”、“食後”、“入浴前”、“睡眠前”をそれぞれ選択してトレンド表示させることで、被測定者の一日の生活におけるゆらぎ度の変化の傾向をある程度把握することが可能となる。
【００８１】
また、例えば、トレンド表示方法選択画面１７００において、“睡眠前”を選択してトレンド表示させた場合と、“睡眠前”、“睡眠薬”を選択してトレンド表示させた場合とを比較することで、睡眠薬を服薬した場合の、交感神経と心臓迷走神経とのバランスへの影響の有無を把握することができる。
【００８２】
このように、測定時に入力された被測定者に関する情報を利用することで、拍動のゆらぎの傾向を様々な角度から把握することが可能となり、結果、測定結果をみて、交感神経と心臓迷走神経とのバランスの乱れの有無を、被測定者自身が判断できるようになる。
【００８３】
以上の説明から明らかなように、本実施形態によれば、測定に際して、被測定者の年齢や、測定時の状況に関する情報、ならびに被測定者の精神状態および体調等を設定し、該設定データを算出されたゆらぎ度と対応付けてデータ記録部に記録する。これにより、算出されたゆらぎ度のうち、特定のゆらぎ度のみを選択的にトレンド表示することが可能となる。この結果、被測定者は、被測定者自身のゆらぎ度の傾向を把握することが可能となり、算出データをトレンド表示と対比して判断することができるようになる。
【００８４】
［第２の実施形態］
上記第１の実施形態では、特定の設定データに対応するゆらぎ度を選択的にトレンド表示する構成としたが、本発明は特にこれに限られない。例えば、特定の設定データに対応するゆらぎ度によるトレンド表示を複数個、重ねて表示するようにしてもよい。
【００８５】
図２０は、本実施形態におけるトレンド表示方法選択画面の一例を示す図である。図１７との違いは、データ選択欄２００１が設けられている点である。図２０の例では、特定の設定データに対応するゆらぎ度によるトレンド表示を、任意に表示することができる（例えば、最大５本重ねて表示）。
【００８６】
図２０に示すトレンド表示方法選択画面において、被測定者がデータ１を選択し、特定の設定データを選択した場合には、該設定データに対応するゆらぎ度を選択的に抽出し、データ１としてトレンド表示する。また、被測定者が、データ２を選択した場合には、データ１として選択された設定データはクリアされ、被測定者は別の設定データを選択することができる。被測定者がデータ２として別の設定データを選択した場合には、該別の設定データに対応するゆらぎ度を選択的に抽出し、データ２としてデータ１に重ねてトレンド表示する。更に、被測定者はデータ３、４、５についても同様に設定データを選択し、重ねてトレンド表示を行うことができる。
【００８７】
図２１は、データ１およびデータ２として、それぞれ特定の設定データを選択し、トレンド表示させた場合の一例を示す図である。トレンド表示２１０１と２１０２は、線種または色を変えて表示される。
【００８８】
以上の説明から明らかなように、本実施形態によれば、特定の設定データに対応するゆらぎ度によるトレンド表示を複数個、重ねて表示することが可能となるため、被測定者のゆらぎ度の傾向を、より詳細に知ることが可能となる。
【図面の簡単な説明】
【００８９】
【図１】本発明の第１の実施形態にかかる心拍ゆらぎ検出装置の外観構成を示す図である。
【図２】本発明の第１の実施形態にかかる心拍ゆらぎ検出装置の機能構成を示す図である。
【図３】表示／操作部２０５の画面例を示す図である。
【図４】本発明の第１の実施形態にかかる心拍ゆらぎ検出装置における処理の流れを示すフローチャートである。
【図５】測定処理（ステップＳ４０３）の処理の流れを示すフローチャートである。
【図６】設定データ入力画面６０１が表示された様子を示す図である。
【図７】測定開始画面７０１が表示された様子を示す図である。
【図８】測定が開始された後のデータ表示部３０１の一例を示す図である。
【図９】ローレンツプロットデータのゆらぎ度を示す線９０１と、目標達成度９０２、ゆらぎ度９０３が表示された様子を示す図である。
【図１０】プロットデータ保存処理（ステップＳ４０６）の処理の流れを示すフローチャートである。
【図１１】測定結果保存入力画面１１０１が表示された様子を示す図である。
【図１２】プロットデータ保存処理によりデータ記録部２０８に記録された各種データを示す図である。
【図１３】プロットデータ再生／削除処理（ステップＳ４０７）の処理の流れを示すフローチャートである。
【図１４】データ一覧を表示した様子を示す図である。
【図１５】データ一覧を表示した様子を示す図である。
【図１６】トレンド表示処理（ステップＳ４０８）の処理の流れを示すフローチャートである。
【図１７】トレンド表示方法選択画面の一例を示す図である。
【図１８】データ表示部３０１に表示されたトレンドグラフの一例を示す図である。
【図１９】データ表示部に表示されたトレンドグラフの特定箇所が指定された様子を示す図である。
【図２０】トレンド表示方法選択画面の一例を示す図である。
【図２１】データ表示部３０１に表示されたトレンドグラフの一例を示す図である。
【図２２】心電波形に基づくローレンツプロット方法を説明するための図である。
【図２３】心電波形に基づくローレンツプロット方法を説明するための図である。
【図２４】ローレンツプロットの一例を示す図である。
【図１】
2008036156.tif 000003
【図２】
2008036156.tif 000004
【図３】
2008036156.tif 000005
【図４】
2008036156.tif 000006
【図５】
2008036156.tif 000007
【図６】
2008036156.tif 000008
【図７】
2008036156.tif 000009
【図８】
2008036156.tif 000010
【図９】
2008036156.tif 000011
【図１０】
2008036156.tif 000012
【図１１】
2008036156.tif 000013
【図１２】
2008036156.tif 000014
【図１３】
2008036156.tif 000015
【図１４】
2008036156.tif 000016
【図１５】
2008036156.tif 000017
【図１６】
2008036156.tif 000018
【図１７】
2008036156.tif 000019
【図１８】
2008036156.tif 000020
【図１９】
2008036156.tif 000021
【図２０】
2008036156.tif 000022
【図２１】
2008036156.tif 000023
【図２２】
2008036156.tif 000024
【図２３】
2008036156.tif 000025
【図２４】
2008036156.tif 000026